(57)【要約】【課題】ＰＯＮシステムに関し、局側装置から終端装置への帯域を有効利用する。【解決手段】局側装置ＯＬＴ１と複数の加入者側の終端装置ＯＮＵ２１とを光カプラを介して光ファイバ伝送路により接続したＰＯＮシステムに於いて、ＯＬＴ１は、全接続要求ＯＮＵ２１にそれぞれ割当てた送信開始時刻と送信許可時間と論理リンク識別子ＬＬＩＤとを含むＰＯＮ制御フレームを、全接続要求ＯＮＵ２１に対してプロードキャストする構成を備え、ＯＮＵ２１は、ＯＬＴ１からのＰＯＮ制御フレームを受信して、論理リンク識別子ＬＬＩＤ対応の送信開始時刻と送信許可時間とを保持する保持部３５と、ＯＬＴ１との間に設定した論理リンクを示す論理リンク識別子ＬＬＩＤに従った送信開始時刻と送信許可時間とに基づいて、ＯＬＴ１へのデータフレーム送信を行う手段とを備えている。【選択図】図３
2007281979.tif 000002
【特許請求の範囲】
【請求項１】
局側装置と複数の加入者側の終端装置とを光カプラを介して光ファイバ伝送路により接続したＰＯＮシステムに於いて、
前記局側装置は、全接続要求終端装置にそれぞれ割当てた送信開始時刻と送信許可時間と論理リンク識別子とを含むＰＯＮ制御フレームを、前記全接続要求終端装置に対してプロードキャストする構成を備え、
前記終端装置は、前記局側装置からの前記ＰＯＮ制御フレームを受信して、前記論理リンク識別子対応の送信開始時刻と送信許可時間とを保持する保持部と、前記局側装置との間に設定した論理リンクを示す前記論理リンク識別子に従った前記送信開始時刻と送信許可時間とに基づいて、前記局側装置へのデータフレーム送信を行う手段とを備えた
ことを特徴とするＰＯＮシステム。
【請求項２】
前記局側装置は、全接続要求終端装置に対して論理リンク識別子対応の送信開始時刻と送信許可時間とを割当てるスケジューラと、前記全接続要求終端装置に割当てた論理リンク識別子と該論理リンク識別子対応の送信開始時刻と送信許可時間とを総て含むＰＯＮ制御フレームを生成するフレーム生成部と、該フレーム生成部により生成した前記ＰＯＮ制御フレームを帯域割当周期に１回ブロードキャストにより前記全接続要求終端装置に送信制御するＰＯＮブリッジ部とを備え、前記終端装置は、前記ＰＯＮ制御フレームを受信して、前記論理リンク識別子対応の送信開始時刻と送信許可時間とを保持する保持部と、前記ＰＯＮ制御フレームにレポート要求情報が含まれている時に前記局側装置に対するレポートフレームを生成するフレーム生成部と、前記保持部に保持された自終端装置の論理リンク識別子対応の送信開始時刻と送信許可時間とに従って前記局側装置にフレーム送信を行うＰＯＮブリッジ部とを備えたことを特徴とする請求項１記載のＰＯＮシステム。
【請求項３】
局側装置と複数の加入者側の終端装置とを光カプラを介して光ファイバ伝送路により接続したＰＯＮシステムに於いて、
前記局側装置は、全接続要求終端装置に対する論理リンク識別子対応の送信開始時刻と送信許可時間とを割当てると共に、指定された個別の終端装置に対する論理リンク識別子対応の送信開始時刻と送信許可時間とを割当てるスケジューラと、該スケジューラにより割当てた前記論理リンク識別子対応の送信開始時刻と送信許可時間とを含み、且つレポート要求情報を含むＰＯＮ制御フレームを生成するフレーム生成部と、該フレーム生成部により生成した前記ＰＯＮ制御フレームを帯域割当周期に１回ブロードキャストにより前記全接続要求終端装置に送信制御するＰＯＮブリッジ部と、前記レポート要求情報に従ってレポートフレームを送信したか否かを識別し、送信できなかった終端装置に対して前記スケジューラに個別の終端装置として指定する受信フレーム解析部とを備え、
前記終端装置は、前記局側装置からの前記ＰＯＮ制御フレームを受信して、前記論理リンク識別子対応の送信開始時刻と送信許可時間とを保持する保持部と、前記ＰＯＮ制御フレーム受信によるレポートフレームを生成するフレーム生成部と、前記局側装置との間に設定した論理リンクを示す前記論理リンク識別子に従った前記送信開始時刻と送信許可時間とに基づいて、前記局側装置への前記レポートフレーム及びデータフレーム送信を行うＰＯＮブリッジ部とを備えた
ことを特徴とするＰＯＮシステム。
【発明の詳細な説明】
【技術分野】
【０００１】
本発明は、局側装置と複数の加入者側の終端装置との間で、光信号によりＧｂｐｓ又はそれ以上の伝送速度でデータ伝送を可能とするＰＯＮ（Ｐａｓｓｉｖｅ  Ｏｐｔｉｃａｌ  Ｎｅｔｗｏｒｋ）システムに関する。
【背景技術】
【０００２】
局側装置（ＯＬＴ；Ｏｐｔｉｃａｌ  Ｌｉｎｅ  Ｔｅｒｍｉｎａｔｏｒ）と、光カプラを介して複数の加入者側の終端装置（ＯＮＵ；Ｏｐｔｉｃａｌ  Ｎｅｔｗｏｒｋ  Ｕｎｉｔ）との間を光ファイバ伝送路で接続し、光カプラにより局側装置（ＯＬＴ）からの光信号によるデータを各終端装置（ＯＮＵ）へ同時に分配し、送信先アドレスにより指定された終端装置（ＯＮＵ）が受信処理し、指定時刻に終端装置（ＯＮＵ）から送信した光信号を、光カプラを介して局側装置（ＯＬＴ）に送信するダブルスター方式のＰＯＮ（Ｐａｓｓｉｖｅ  Ｏｐｔｉｃａｌ  Ｎｅｔｗｏｒｋ）システムは、分散配置された複数の加入者側の終端装置（ＯＮＵ）に、それぞれ接続されたユーザの端末装置による高速データ伝送を、比較的廉価な構成で実現することができる。その場合、ＳＴＭ（Ｓｙｎｃｈｒｏｎｏｕｓ  Ｔｒａｎｓｆｅｒ  Ｍｏｄｅ）方式を適用したＳＴＭ−ＰＯＮ、ＡＴＭ（Ａｓｙｎｃｈｒｏｎｏｕｓ  Ｔｒａｎｓｆｅｒ  Ｍｏｄｅ）方式を適用したＡＴＭ−ＰＯＮ又はＧ−ＰＯＮ、イーサネット（登録商標）方式を適用したＧＥ−ＰＯＮ等が知られている。
【０００３】
ダブルスター方式のＰＯＮシステムの一般的な構成は、例えば、図５に示すように、局側装置（以下ＯＬＴと略称する）と複数の加入者側の終端装置（以下ＯＮＵと略称する）とを光カプラを介して光ファイバ伝送路により接続して、物理リンクを構成するものであり、ＯＬＴから各ＯＮＵ＃１〜ＯＮＵ＃Ｎに対しては、前述のように、ＯＮＵを指定する送信先アドレスを付加して送信し、各ＯＮＵ＃１〜ＯＮＵ＃Ｎは、ＯＬＴから指定された送信時刻に送信し、光カプラにより時分割多重化に相当するように多重化してＯＬＴに伝送することになる。又論理リンク識別子（ＬＬＩＤ）により、複数の論理リンクを設定して、この論理リンク対応にデータを送受信することができる。又ＯＬＴは、制御フレームにより、各ＯＮＵ＃１〜ＯＮＵ＃Ｎに対して、更には、論理リンク対応に、送信時刻と送信時間（データ送出期間）とを指示することにより、光カプラに於けるＯＬＴ側へのデータの衝突を防止する。
【０００４】
図６は、従来例のＯＬＴの説明図であり、５１はＯＬＴ、５２は光信号と電気信号との変換を行う光電変換モジュール（ＯＭＤ）、５３は直並列変換部、５４はＭＡＣ（Ｍｅｄｉａ  Ａｃｃｅｓｓ  Ｃｏｎｔｒｏｌ）部、５５はシステムネットワーク物理層処理部、５６はシステムネットワーク接続部、５７はＰＯＮブリッジ部、５８はＭＰＣＰ（Ｍｕｌｔｉｐｏｉｎｔ  Ｃｏｎｔｒｏｌ  Ｐｒｏｔｏｃｏｌ）部、５９はフレーム生成部、６０はＬＬＩＤ処理部、６１は受信フレーム解析部を示す。
【０００５】
光電変換モジュール５２は、光ファイバ伝送路を介して光カプラ（図示を省略）との間を接続し、電気信号を光信号に変換してＯＮＵ側へ送信し、ＯＮＵ側から受信した光信号を電気信号に変換する機能を有し、直並列変換部５３は、光電変換モジュール５２との間の直列データと、ＭＡＣ部５４との間の並列データとの相互の変換を行う機能を有する。又システムネットワーク接続部５６とシステムネットワーク物理層処理部５５とにより、局側ネットワーク（図示を省略）との間のデータ送受信処理を行う。
【０００６】
又ＭＡＣ部５４は、ＰＯＮブリッジ部５８とＭＰＣＰ部５７とフレーム生成部５９とを含む構成を有し、ＰＯＮブリッジ部５８により、データフレームの送受信及びＰＯＮ制御フレームの送信の制御を行うもので、ＭＰＣＰ部５７は、ＬＬＩＤ処理部６０と受信フレーム解析部６１とスケジューラ６２とを含む構成を有し、スケジューラ６２によりＬＬＩＤ対応の送信時刻と送信帯域とを設定することにより、フレーム生成部５９は、ＯＮＵ側へ送信するＬＬＩＤ対応のＰＯＮ制御フレームを生成する。
【０００７】
図７は、従来例のＯＮＵの説明図であり、７１はＯＮＵ、７２は光電変換モジュール、７３は直並列変換部、７４はＭＡＣ部、７５はユーザネットワーク物理層処理部、７６はユーザネットワーク接続部、７７はＭＰＣＰ（Ｍｅｄｉａ  Ａｃｃｅｓｓ  Ｃｏｎｔｒｏｌ）部、７８はＰＯＮブリッジ部、７９はフレーム生成部、８０はＬＬＩＤ処理部、８１はＧＡＴＥ処理部、８２はレポート処理部、８３は発光制御駆動部、８４は受信フレーム解析部を示す。
【０００８】
光電変換モジュール７２は、光ファイバ伝送路を介して光カプラ（図示を省略）との間を接続し、電気信号を光信号に変換してＯＬＴ側へ送信し、且つＯＬＴ側から受信した光信号を電気信号に変換する機能を有する。又直並列変換部７３は、光電変換モジュール７２との間の直列データと、ＭＡＣ部７４との間の並列データとの相互の変換を行う機能を有する。又ユーザネットワーク物理層処理部７５とユーザネットワーク接続部７６とを介して、ユーザの端末装置との間でデータの送受信を行う。
【０００９】
又ＭＡＣ部７４は、ＭＰＣＰ部７７とＰＯＮブリッジ部７８とフレーム生成部７９とを含む構成を有し、ＰＯＮブリッジ部７８は、ＯＬＴ側からのデータフレームとＰＯＮ制御フレームとを識別して、ＰＯＮ制御フレームをＭＰＣＰ部７１のＬＬＩＤ処理部８０に転送し、データフレームは、ユーザネットワーク物理層処理部７５とユーザネットワーク接続部７６とを介してユーザの端末装置へ転送する。又ＰＯＮ制御フレームは、ＬＬＩＤ処理部８０により、正常なＬＬＩＤが付加されたフレームか否かを判定し、正常なＬＬＩＤが付加されたＰＯＮ制御フレームを受信フレーム解析部８４に転送し、ＬＬＩＤ対応の送信開始時刻及び送信可能時間の情報をＰＯＮブリッジ部７８及び発光駆動制御部８３に転送し、且つレポート処理部８２に正常なＰＯＮ制御フレーム受信を通知する。
【００１０】
レポート処理部８２は、ＯＬＴに対して、ＰＯＮ制御フレームの正常受信を通知する為のフレームを、フレーム生成部７９に於いて生成させて、ＰＯＮブリッジ部７８へ転送する。又発光駆動制御部８３は、送信開始時刻に光電変換モジュール７２の発光素子に駆動を開始し、送信可能時間の経過により駆動を停止する。それにより、ＰＯＮブリッジ部７８から直並列変換部７３により直列に変換されたデータに従って発光制御された光信号がＯＬＴ側へ送信される。
【００１１】
又ＧＥ−ＰＯＮシステムに於いて、ＯＬＴからの同期信号に同期して、ＯＮＵから初期登録要求をＯＬＴに送信し、ＯＬＴは、往復遅延時間ＲＴＴ（Ｒｏｕｎｄ  Ｔｒｉｐ  Ｔｉｍｅ）を算出し、登録要求ＯＮＵに対してＯＮＵ  ＩＤを付与して、このＯＮＵ  ＩＤとＲＴＴとを含む登録応答フレームを、登録要求ＯＮＵに送信して、ＯＮＵ登録、帯域割当等の処理を行う手段が提案されている（例えば、特許文献１参照）。又ＯＬＴから、各ＯＮＵに対して、データ帯域と、ＦＥＣ（Ｆｏｒｗａｒｄ  Ｅｒｒｏｒ  Ｃｏｒｒｅｃｔｉｏｎ）オーバヘッド等に対応する付加帯域とを基に、ＯＮＵに対する帯域割当てを行う手段も提案されている。
【特許文献１】特開２００３−２４４１７８号公報
【特許文献２】特開２００６−５３８７号公報
【発明の開示】
【発明が解決しようとする課題】
【００１２】
ＰＯＮシステムに於いては、前述のように、ＯＬＴから各ＯＮＵに対して帯域割当て及び光カプラに於ける衝突が生じないように送信開始時刻の指定を行うものであり、これらを論理リンク対応に、ＰＯＮ制御フレームにより通知するものである。そのＰＯＮ制御フレームは、ＯＮＵ数と各ＯＮＵの論理リンク数とに従った合計の論理リンク数となる。従って、合計した論理リンク数が多くなる程、ＰＯＮ制御フレーム数が多くなり、データフレームの伝送帯域を圧迫する問題がある。
【００１３】
本発明は、前述の問題点を解決するものであり、各ＯＮＵに対する送信帯域割当て及び送信開始時刻の通知を、１個にまとめたＰＯＮ制御フレームにより行って、帯域の有効利用を図ることを目的とする。
【課題を解決するための手段】
【００１４】
本発明のＰＯＮシステムは、局側装置と複数の加入者側の終端装置とを光カプラを介して光ファイバ伝送路により接続したＰＯＮシステムに於いて、前記局側装置は、全接続要求終端装置にそれぞれ割当てた送信開始時刻と送信許可時間と論理リンク識別子とを含むＰＯＮ制御フレームを、前記全接続要求終端装置に対してプロードキャストする構成を備え、前記終端装置は、前記局側装置からの前記ＰＯＮ制御フレームを受信して、前記論理リンク識別子対応の送信開始時刻と送信許可時間とを保持する保持部と、前記局側装置との間に設定した論理リンクを示す前記論理リンク識別子に従った前記送信開始時刻と送信許可時間とに基づいて、前記局側装置へのデータフレーム送信を行う手段とを備えている。
【００１５】
又前記局側装置は、全接続要求終端装置に対して論理リンク識別子対応の送信開始時刻と送信許可時間とを割当てるスケジューラと、前記全接続要求終端装置に割当てた論理リンク識別子と該論理リンク識別子対応の送信開始時刻と送信許可時間とを総て含むＰＯＮ制御フレームを生成するフレーム生成部と、該フレーム生成部により生成した前記ＰＯＮ制御フレームを帯域割当周期に１回ブロードキャストにより前記全接続要求終端装置に送信制御するＰＯＮブリッジ部とを備え、前記終端装置は、前記ＰＯＮ制御フレームを受信して、前記論理リンク識別子対応の送信開始時刻と送信許可時間とを保持する保持部と、前記ＰＯＮ制御フレームにレポート要求情報が含まれている時に前記局側装置に対するレポートフレームを生成するフレーム生成部と、前記保持部に保持された自終端装置の論理リンク識別子対応の送信開始時刻と送信許可時間とに従って前記局側装置にフレーム送信を行うＰＯＮブリッジ部とを備えている。
【００１６】
又本発明のＰＯＮシステムは、局側装置と複数の加入者側の終端装置とを光カプラを介して光ファイバ伝送路により接続したＰＯＮシステムに於いて、前記局側装置は、全接続要求終端装置に対する論理リンク識別子対応の送信開始時刻と送信許可時間とを割当てると共に、指定された個別の終端装置に対する論理リンク識別子対応の送信開始時刻と送信許可時間とを割当てるスケジューラと、該スケジューラにより割当てた前記論理リンク識別子対応の送信開始時刻と送信許可時間とを含み、且つレポート要求情報を含むＰＯＮ制御フレームを生成するフレーム生成部と、該フレーム生成部により生成した前記ＰＯＮ制御フレームを帯域割当周期に１回ブロードキャストにより前記全接続要求終端装置に送信制御するＰＯＮブリッジ部と、前記レポート要求情報に従ってレポートフレームを送信したか否かを識別し、送信できなかった終端装置に対して前記スケジューラに個別の終端装置として指定する受信フレーム解析部とを備え、前記終端装置は、前記局側装置からの前記ＰＯＮ制御フレームを受信して、前記論理リンク識別子対応の送信開始時刻と送信許可時間とを保持する保持部と、前記ＰＯＮ制御フレーム受信によるレポートフレームを生成するフレーム生成部と、前記局側装置との間に設定した論理リンクを示す前記論理リンク識別子に従った前記送信開始時刻と送信許可時間とに基づいて、前記局側装置への前記レポートフレーム及びデータフレーム送信を行うＰＯＮブリッジ部とを備えている。
【発明の効果】
【００１７】
ＰＯＮ制御フレームを帯域割当周期内に全接続要求終端装置に１回ブロードキャストにより送信するものであり、ＰＯＮ制御フレームのフレーム長が多少長くなっても、全接続要求終端装置対応更には論理リンク対応にＰＯＮ制御フレームを送信する場合に比較して、局側装置から各終端装置に対するデータ伝送帯域を有効に利用できることになる。又全接続要求終端装置に対するＰＯＮ制御フレームを受信できない終端装置が局側装置に接続されている場合、レポートフレームが未受信の終端装置を識別して、この終端装置に対しては、従来例に従ったＰＯＮ制御フレームを生成して送信することにより、従来例に対応する機能の終端装置が混在して接続されている場合にも、帯域割当てを行うことが可能となる。
【発明を実施するための最良の形態】
【００１８】
本発明のＰＯＮシステムは、図３及び図４を参照して説明すると、局側装置ＯＬＴ１と複数の加入者側の終端装置ＯＮＵ２１とを光カプラを介して光ファイバ伝送路により接続したＰＯＮシステムに於いて、局側装置ＯＬＴ１は、全接続要求終端装置ＯＮＵにそれぞれ割当てた送信開始時刻と送信許可時間と論理リンク識別子ＬＬＩＤとを含むＰＯＮ制御フレームを、全接続要求終端装置ＯＮＵに対してプロードキャストする構成を備え、終端装置ＯＮＵ２１は、局側装置ＯＬＴ１からのＰＯＮ制御フレームを受信して、論理リンク識別子ＬＬＩＤ対応の送信開始時刻と送信許可時間とを保持する保持部３５と、局側装置１との間に設定した論理リンクを示す論理リンク識別子ＬＬＩＤに従った送信開始時刻と送信許可時間とに基づいて、局側装置ＯＬＴ１へのデータフレーム送信を行う手段とを備えている。
【実施例１】
【００１９】
図１は、本発明の実施例１の説明図であり、システムネットワーク・インタフェースＳＮＩを備えた局側装置ＯＬＴと、光カプラを介して、それぞれユーザネットワーク・インタフェースＳＮＩを備えた３２台の加入者側の終端装置ＯＮＵ＃１〜ＯＮＵ＃３２を接続したＰＯＮシステムに於いて、（ａ）は、ＯＬＴから各ＯＮＵ＃１〜ＯＮＵ＃３２に対する従来例のデータフレームとＰＯＮ制御フレームとの伝送の概要説明図であり、（ｂ）は、（ａ）の従来例と対比して示す本発明の実施例１のＰＯＮ制御フレームの伝送の概要説明図であって、（ａ）の従来例に於いては、各ＯＮＵ＃１〜ＯＮＵ＃３２に対して、それぞれに、例えば、２個の論理リンク識別子ＬＬＩＤを割当てて、合計６４個の論理リンクを形成した場合、ＯＮＵから６４個の論理リンク識別子ＬＬＩＤ＃１〜ＬＬＩＤ＃６４対応に、「各ＯＮＵへのＭＰＣＰ」として示すＭＰＣＰ（Ｍｕｌｔ  Ｐｏｉｎｔ  Ｃｏｎｔｒｏｌ  Ｐｒｏｔｏｃｏｌ）を使用したＰＯＮ制御フレームを、帯域割当周期内に６４個伝送し、又各論理リンク識別子ＬＬＩＤ＃１〜ＬＬＩＤ＃６４対応にデータフレームを伝送する。
【００２０】
一方本発明は、図１の（ｂ）の「全ＯＮＵへのＭＰＣＰ」として示すように、全接続要求ＯＮＵに対する全論理リンク識別子「ＬＬＩＤ  ａｌｌ」とした６４個の論理リンクＬＬＩＤ＃１〜ＬＬＩＤ＃６４対応に割当てた送信開始時刻等の制御情報を含む１個のＰＯＮ制御フレームを生成して、帯域割当周期内に１回、マルチキャスト的にＯＬＴから３２台の各ＯＮＵ＃１〜ＯＮＵ＃３２に伝送し、又各論理リンク識別子ＬＬＩＤ＃１〜ＬＬＩＤ＃６４対応のデータフレームを伝送する。この場合のＰＯＮ制御フレームは、フレーム長が従来例の各ＰＯＮ制御フレームのフレーム長より長くなるが、１個のＰＯＮ制御フレームで済むことにより、伝送帯域を有効に利用することができる。
【００２１】
図２は、ＰＯＮ制御フレームの説明図であり、（Ａ）は従来例、（Ｂ）は本発明の実施例１の場合を示す。フレームのプリアンブル（Ｐｒｅａｍｂｌｅ）は、２バイトの０ｘ５５と、１バイトのＳＰＤ（Ｓｔａｒｔ  Ｐａｃｋｅｔ  Ｄｅｌｉｍｉｔｅｒ）と、２バイトの０ｘ５５と、２バイトの論理リンク識別子ＬＬＩＤと、１バイトのサイクリック・リダンダンシィ・チェック（ＣＲＣ８）とを含み、合計８バイトの場合を示す。
【００２２】
又（Ａ）に示す従来例のＥ−Ｆｒａｍｅ（イーサネット（登録商標）フレーム）のヘッダは、送信先アドレス（Ｄｅｓｔｉｎａｔｉｏｎ  Ａｄｄｒｅｓｓ）と、送信元アドレス（Ｓｏｕｒｃｅ  Ａｒｒｅｓｓ）と、フレーム長又はタイプ（Ｌｅｎｇｔｈ／Ｔｙｐｅ）と、送信タイミングを制御するＧＥＴＥ：０ｘ００−０２又は応答を示すＲＥＰＯＲＴ：０ｘ００−０３のコード（Ｏｐｃｏｄｅ）と、ＯＬＴとＯＮＵとの間で同期をとる為の時刻情報（Ｔｉｍｅｓｔａｍｐ）と、ＧＡＴＥフレームの種類（Ｎｕｍｂｅｒ  ｏｆ  ｇｒａｎｔｓ／Ｆｌａｇｓ）とを含むものであり、このヘッダに対して、ＯＮＵに対する送信許可番号（Ｇｒａｎｔ＃ｉ）（論理リンク数６４の場合、ｉ＝１〜６４）対応の送信開始時刻（Ｇｒａｎｔ＃ｉＳｔａｒｔ  ｔｉｍｅ）と、送信許可時間（Ｇｒａｎｔ＃ｉＬｅｎｇｔｈ）と、それらの誤りチェックの為のフレームチェックシーケンス（ＦＣＳ；Ｆｒａｍｅ  Ｃｈｅｃｋ  Ｓｅｑｕｅｎｃｅ）とを付加した構成を有するものである。
【００２３】
一方、本発明の実施例１によるＰＯＮ制御フレームは、図２の（Ｂ）に示すように、プリアンブル（Ｐｒｅａｍｂｌｅ）部分及び送信先アドレス等を含むフレームのヘッダ部分は、図２の（Ａ）に示す従来例と同様であるが、ヘッダ部分の送信先アドレスは、全ＯＮＵに対するブロードキャストアドレスとする。又フレーム内容は、送信許可論理リンク識別子ＬＬＩＤ対応に、送信開始時刻（Ｇｒａｎｔ  Ｓｔａｒｔ  ｔｉｍｅ）と、送信許可時間（Ｇｒａｎｔ  Ｌｅｎｇｔｈ）と、論理リンク識別子ＬＬＩＤ（ＬＬＩＤ０ｘｉ）（ｉ＝０１〜６４）と、フレームチェックシーケンス（ＦＣＳ；Ｆｒａｍｅ  Ｃｈｅｃｋ  Ｓｅｑｕｅｎｃｅ）とを含むものである。
【００２４】
前述のように、ＯＬＴと光カプラを介して３２台のＯＮＵとを接続し、それぞれに２個の論理リンク識別子ＬＬＩＤを割付けて、合計６４個の論理リンクを形成し、帯域割当周期を６００μｓｅｃとすると、従来例に於いては、帯域割当周期内に、ＰＯＮ制御フレームを６４個送信する必要がある。これに対して、本発明は、１個のＰＯＮ制御フレームを伝送するものであり、フレーム間ギャップを含めて、例えば、８４バイト長を必要とする場合、合計で、８４×６４＝５３７６バイトの伝送時間が必要となる。この場合の伝送時間の合計は、ほぼ４３μｓｅｃとなる。従って、帯域割当周期の６００μｓｅｃに対して約７．１％となる。
【００２５】
一方、本発明の実施例１に於いては、帯域割当周期内にブロードキャストにより、１個のＰＯＮ制御フレームを伝送するものであり、この場合のＰＯＮ制御フレームを伝送する為に、６４個のＬＬＩＤを含むことから、フレーム間ギャップを含めて、例えば、５５７バイト長となる。従って、このＰＯＮ制御フレームを伝送する為の時間は、約４．５μｓｅｃとなり、６００μｓｅｃの帯域割当周期に対して約４．５μｓｅｃとなる。従って、帯域割当周期の６００μｓｅｃに対して約０．８％となる。即ち、従来例に比較して、帯域割当周期の約６％を、データフレームの伝送に利用することが可能となる。
【００２６】
図３は、本発明の実施例１のＯＬＴの説明図であり、１はＯＬＴ、２は光信号と電気信号との変換を行う光電変換モジュール（ＯＭＤ）、３は直並列変換部、４はＭＡＣ（Ｍｅｄｉａ  Ａｃｃｅｓｓ  Ｃｏｎｔｒｏｌ）部、５はシステムネットワーク物理層処理部、６はシステムネットワーク接続部、７はＰＯＮブリッジ部、８はＭＰＣＰ（Ｍｕｌｔｉｐｏｉｎｔ  Ｃｏｎｔｒｏｌ  Ｐｒｏｔｏｃｏｌ）部、９はフレーム生成部、１０はＬＬＩＤ処理部、１１は受信フレーム解析部、１２はスケジューラ、１３は多重部を示す。
【００２７】
ＯＬＴ１は、図６に示す従来例のＯＬＴ５１に比較して、多重部１３を設けた構成を有し、ＬＬＩＤ処理部１０と受信フレーム解析部１１とにより、ＯＮＵからの帯域割当要求等を識別し、スケジューラ１２により、接続要求ＯＮＵに対して、ＬＬＩＤ対応に、帯域割当周期内の送信開始時刻と送信許可時間とを設定する。多重部１３は、ＬＬＩＤ処理部１０からのＬＬＩＤと、スケジューラ１２からのＬＬＩＤ対応の送信開始時刻及び送信許可時間とを多重化して、フレーム生成部９に転送する。即ち、フレーム生成部９は、図２の（Ｂ）に示すＰＯＮ制御フレームを生成してＰＯＮブリッジ部７へ転送し、直並列変換部３と光電変換モジュール２とにより、ＯＮＵに対して送信する。このＰＯＮ制御フレームは、前述のように、複数の論理リンクを設定した場合でも、帯域割当周期内では、１個とするものである。
【００２８】
図４は、本発明の実施例１のＯＮＵの説明図であり、２１はＯＮＵ、２２は光電変換モジュール、２３は直並列変換部、２４はＭＡＣ（Ｍｅｄｉａ  Ａｃｃｅｓｓ  Ｃｏｎｔｒｏｌ）部、２５はユーザネットワーク物理層処理部、２６はユーザネットワーク接続部、２７はＭＰＣＰ（Ｍｕｌｔｉｐｏｉｎｔ  Ｃｏｎｔｒｏｌ  Ｐｒｏｔｏｃｏｌ）部、２８はＰＯＮブリッジ部、２９はフレーム生成部、３０はＬＬＩＤ処理部、３１はＧＡＴＥ処理部、３２はレポート処理部、３３は発光制御駆動部、３４は受信フレーム解析部、３５はＬＬＩＤ保持部を示す。
【００２９】
ＯＮＵ２１は、図７に示す従来例のＯＮＵ７１に比較して、ＬＬＩＤ保持部３５を設けた構成を有し、受信したＰＯＮ制御フレームを受信フレーム解析部３４により解析し、ＬＬＩＤと共に、そのＬＬＩＤ対応の送信開示時刻と送信許可時間とをＬＬＩＤ保持部３５に於いて保持する。即ち、図２の（Ｂ）に示すように、ＰＯＮ制御フレームには、送信許可論理リンク識別子ＬＬＩＤ対応に、送信開始時刻（Ｇｒａｎｔ  Ｓｔａｒｔ  ｔｉｍｅ）と、送信許可時間（Ｇｒａｎｔ  Ｌｅｎｇｔｈ）と、論理リンク識別子ＬＬＩＤ（ＬＬＩＤ０ｘｉ）（ｉ＝０１〜６４）とを含むもので、ＬＬＩＤ保持部３５に保持し、自ＯＮＵの論理リンク対応の送信開始時刻と送信許可時間とに従って、発光制御部３３により光電変換モジュール２２を制御して、且つＰＯＮブリッジ部２８を制御して、ＯＬＴ側へのデータフレーム送信を行うものである。
【実施例２】
【００３０】
前述の図３及び図４に基づいて、本発明の実施例２について説明する。ＯＬＴ１のＭＰＣＰ部８のスケジューラ１２は、全接続要求ＯＮＵに対する論理リンク識別子（ＬＬＩＤ）対応の送信開始時刻と送信許可時間とを割当てると共に、指定された個別のＯＮＵに対する論理リンク識別子（ＬＬＩＤ）対応の送信開始時刻と送信許可時間とを割当てる機能を備え、又受信フレーム解析部１１は、全接続要求ＯＮＵからのレポートフレームの受信ができたか否かと共に、レポートフレームを受信できなかったＯＮＵを判定して、そのＯＮＵについてスケジューラ１２に通知する機能を備えている。又フレーム生成部９は、レポート要求情報を含むＰＯＮ制御フレームを生成する機能を備えている。
【００３１】
ＰＯＮシステムのＯＮＵは、図４に示すように、ブロードキャストによるＰＯＮ制御フレームを受信処理して、自ＯＮＵに対して割当てられたＬＬＩＤ対応の送信開始時刻と送信許可時間とを認識できる構成のみでなく、例えば、図７に示すような従来例の構成のＰＯＮ制御フレームによってのみ、自ＯＮＵの送信開始時刻と送信許可時間とを認識できるＯＮＵが混在している場合、このＯＮＵとＯＬＴとの間の通信が全くできない状態となる。そこで、初期状態に於いて、ＯＬＴからのＰＯＮ制御フレームにレポート要求情報を付加して送信する。このＰＯＮ制御フレームを正常受信したＯＮＵは、レポート処理部３２とフレーム生成部２９との機能によりＯＬＴに対するレポートフレームを生成し、ＰＯＮブリッジ部２８により送信制御する。しかし、このＰＯＮ制御フレームを受信処理できないＯＮＵは、レポートフレームを送信しないことなる。
【００３２】
ＯＬＴは、受信フレーム解析部１１に於いて、受信したレポートフレームを解析し、レポートフレームを送信したＯＮＵと送信しなかったＯＮＵとを、例えば、レポートフレームの送信アドレスにより、或いは、ＬＬＩＤ処理部１０によるＬＬＩＤ対応のレポートフレームか否かにより判定する。レポートフレームを送信しなかったＯＮＵは、ブロードキャストによるＰＯＮ制御フレームには対応していない構成と判断し、受信フレーム解析部１１は、このＯＮＵに対して、図２の（Ａ）に示す従来例のＰＯＮ制御フレームを生成するように、スケジューラ１２に指示する。スケジューラ１２は、指示されたＯＮＵ対応の送信開始時刻と送信許可時間とを含む従来例の構成のＰＯＮ制御フレームを生成するようにフレーム生成部９に指示することなる。それにより、従来例の構成のＯＮＵが混在していても、ＯＬＴとの間の通信が可能となる。
【００３３】
なお、レポートフレームの受信判定に於いて、１回のＰＯＮ制御フレームに対してのみでなく、所定回数のＰＯＮ制御フレームの送信に対して、継続してレポートフレームを受信できない場合、即ち、初期状態から所定回数送信するＰＯＮ制御フレームのレポート要求情報を付加し、それに対するレポートフレームを受信できない場合に、前述の個別のＯＮＵに対するＰＯＮ制御フレーム送信を開始するように制御することも可能である。又ＯＬＴは、レポートフレームを送信できなかった個別のＯＮＵを記憶しておくもので、帯域割当周期毎にブロードキャストによるＰＯＮ制御フレームと、個別ＯＮＵに対するＰＯＮ制御フレームの送信を行うことになる。
【図面の簡単な説明】
【００３４】
【図１】本発明の実施例１の説明図である。
【図２】制御フレームの説明図である。
【図３】本発明の実施例１のＯＬＴの説明図である。
【図４】本発明の実施例１のＯＮＵの説明図である。
【図５】従来例のＰＯＮシステムの説明図である。
【図６】従来例のＯＬＴの説明図である。
【図７】従来例のＯＮＵの説明図である。
【符号の説明】
【００３５】
１  ＯＬＴ
２  光電変換モジュール（ＯＭＤ）
３  直並列変換部
４  ＭＡＣ部
５  システムネットワーク物理層処理部
６  システムネットワーク接続部
７  ＰＯＮブリッジ部
８  ＭＰＣＰ部
９  フレーム生成部
１０  ＬＬＩＤ処理部
１１  受信フレーム解析部
１２  スケジューラ
１３  多重部
２１  ＯＮＵ
２２  光電変換モジュール
２３  直並列変換部
２４  ＭＡＣ部
２５  ユーザネットワーク物理層処理部
２６  ユーザネットワーク接続部
２７  ＭＰＣＰ部
２８  ＰＯＮブリッジ部
２９  フレーム生成部
３０  ＬＬＩＤ処理部
３１  ＧＡＴＥ処理部
３２  レポート処理部
３３  発光制御駆動部
３４  受信フレーム解析部
３５  ＬＬＩＤ保持部
【図１】
2007281979.tif 000003
【図２】
2007281979.tif 000004
【図３】
2007281979.tif 000005
【図４】
2007281979.tif 000006
【図５】
2007281979.tif 000007
【図６】
2007281979.tif 000008
【図７】
2007281979.tif 000009